(57)【要約】      （修正有）【課題】内容量が外面から把握することが容易な様に透明容器の円周方向にラベルが存在しない領域を設けることが可能であり、しかも印字内容が重ね貼りされる二つのラベルの間で同じ情報であることを確認でき、しかも、重ね貼りのあと上層用ラベルのみ剥離することが可能な透明容器用管理ラベルを提供する。【解決手段】剥離台紙１３上に上層用ラベル１１と下層用ラベル１２が並んで配置しており、なおかつその上層用ラベルと下層用ラベルを関係付ける情報がおのおの表示されており、上層用ラベルに剥離開始部２５が設けられている。【選択図】図１
2008058349.tif 000002
【特許請求の範囲】
【請求項１】
剥離台紙上に上層用ラベルと下層用ラベルが並んで配置しており、なおかつその上層用ラベルと下層用ラベルを関係付ける情報がおのおの表示されており、上層用ラベルに剥離開始片が設けられていることを特徴とする透明容器用管理ラベル。
【請求項２】
請求項１に記載の透明容器用管理ラベルにおいて、下層用ラベルの幅が用いられる透明容器の幅より狭いことを特徴とする透明容器用管理ラベル。
【請求項３】
請求項１または２に記載の透明容器用管理ラベルにおいて、上層用ラベルの端部に切り取り線が側辺と平行に設けられており、切り取り線の内部裏面に剥離層が設けられていることを特徴とする透明容器用管理ラベル。
【請求項４】
請求項１〜３何れか記載の透明容器用管理ラベルにおいて、下層用ラベルに直交する辺に剥離開始切り取り線が設けられており、切り取り線の内部裏面に剥離層が設けられていることを特徴とする透明容器用管理ラベル。
【請求項５】
請求項１〜４何れかに記載の透明容器用管理ラベルにおいて、上層用ラベルと下層用ラベルを関係付ける情報がバーコードであることを特徴とする透明容器用管理ラベル。
【請求項６】
請求項１〜５何れかに記載の透明容器用管理ラベルにおいて、透明容器が採血管であることを特徴とする透明容器用管理ラベル。
【発明の詳細な説明】
【技術分野】
【０００１】
本発明は、例えば採血管の様な、内容物の確認が常に行えながら内容物の情報を表示可能な透明容器用管理ラベルに関するものである。
【背景技術】
【０００２】
従来、医薬品、健康食品、化粧品等の容器または包装には、商品名が直接印刷されているものや、紙、合成紙、プラスティック等の表面に商品名が印刷され裏面に粘着剤が塗布されたラベルが貼付されていものが用いられていた。
【０００３】
それら従来のラベル等を用いた表示は、そのラベルが貼付された容器または包装材の中に入っている商品の識別を目的としていた。しかしながら、特に、医療現場で使用される薬剤の場合には、単に薬剤の商品としての識別以外に、その薬剤を注射器、または点滴の灌注器に入れたりして使用した場合の内容表示が必要となる場合が多かった。従来、このような場合の薬剤の識別には、単に担当者の記憶に頼ったり、薬剤名を手書きで記載したメモ用紙を注射器や灌注器に貼付したりしていた。さらに、薬剤等の内容をカルテに記載して使用履歴の表示が必要となる場合があるが、その場合も医師が手書きで薬剤等の内容をカルテに記載していた。
【０００４】
そのため上記従来の技術の場合、医師や看護婦等の医療従事者による薬剤管理において、記憶違いや薬剤名の記載間違い、記載されたメモ用紙の貼り間違い、メモ用紙の脱落、およびカルテ等の記載間違いなどの人為的なミスによる医療事故の危険性が問題となっていた。
そこで、信頼性が高い薬剤管理が可能となり、さらに、ラベルの品質検査を容易且つ確実に可能であり、取り扱いが容易で医師や看護婦等の医療従事者の負担を減らすことができる薬剤管理用多層ラベルを提供することを目的として。
【０００５】
そこで、特許文献３にあるように表面側に位置した第一層ラベルと、この第一層ラベルの下に積層された第二層ラベルと、この第二層ラベルの下に剥離層を介して積層された剥離材を備え、上記第一層ラベルと上記第二層ラベルは、同一内容を含む情報が印刷されたシート状のラベル基材と、上記ラベル基材の下面に形成された粘着層が設けられ、上記第一層ラベルの上記ラベル基材は、透明な樹脂シートで形成され上記第一層ラベル側から上記第一層ラベルを透過して上記第二層ラベルの印刷内容が視認されることを特徴とする薬剤管理用多層ラベルを用いるという発想がすでにあった。
【０００６】
特許文献は以下の通り。
【特許文献１】特開２０００−２２１１９９号公報
【特許文献２】登録実用新案公報第３０９８１７９号公報
【特許文献３】特開２００２−１３２１５４号公報
【発明の開示】
【発明が解決しようとする課題】
【０００７】
しかし、従来提案されてきた特許文献３の様なラベルでは、始めから重なっているために、第一層ラベル（本発明の上層用ラベルの相当する）と第二層ラベル（本発明の下層用ラベルの相当する）の記載が同じである確認をするために平面的に第一層ラベルの記載を示す印刷領域と、第二層ラベルが第一層ラベルの透明領域を通して視認できる印刷領域とを重ねることができないために、ラベルの大きさとしては情報の２倍の領域を必要とし、ラベルを貼る領域が少なく、しかもラベルの幅が透明容易の幅より広くすることができな
い採血管の様な透明容器用管理ラベルでは、印字領域が足りなくなり実際の使用に用いることができなかった。
【０００８】
そこで本発明では、内容量が外面から把握することが容易な様に透明容器の円周方向にラベルが存在しない領域を設けることが可能であり、しかも印字内容が重ね貼りされる二つのラベルの間で同じ情報であることを確認でき、しかも、重ね貼りのあと上層用ラベルのみ剥離することが可能な透明容器用管理ラベルを提供することを目的とする。
【課題を解決するための手段】
【０００９】
本発明の請求項１に係わる発明として、剥離台紙上に上層用ラベルと下層用ラベルが並んで配置しており、なおかつその上層用ラベルと下層用ラベルを関係付ける情報がおのおの表示されており、上層用ラベルに剥離開始片が設けられていることを特徴とする透明容器用管理ラベルを提供するものである。
【００１０】
また、本発明の請求項２に係わる発明として、請求項１に記載の透明容器用管理ラベルにおいて、下層用ラベルの幅が用いられる透明容器の幅より狭いことを特徴とする透明容器用管理ラベルを提供するものである。
【００１１】
また、本発明の請求項３に係わる発明として、請求項１または２に記載の透明容器用管理ラベルにおいて、上層用ラベルの端部に切り取り線が側辺と平行に設けられており、切り取り線の内部裏面に剥離層が設けられていることを特徴とする透明容器用管理ラベルを提供するものである。
【００１２】
また、本発明の請求項４に係わる発明として、請求項１〜３何れか記載の透明容器用管理ラベルにおいて、下層用ラベルに直交する辺に剥離開始切り取り線が設けられており、切り取り線の内部裏面に剥離層が設けられていることを特徴とする透明容器用管理ラベルを提供するものである。
【００１３】
また、本発明の請求項５に係わる発明として、請求項１〜４何れかに記載の透明容器用管理ラベルにおいて、上層用ラベルと下層用ラベルを関係付ける情報がバーコードであることを特徴とする透明容器用管理ラベルを提供するものである。
【００１４】
また、本発明の請求項６に係わる発明として、請求項１〜５何れかに記載の透明容器用管理ラベルにおいて、透明容器が採血管であることを特徴とする透明容器用管理ラベルを提供するものである。
である。
【発明の効果】
【００１５】
以上のように本発明によれば、内容量が外面から把握することが容易な様に透明容器の円周方向にラベルが存在しない領域を設けることが可能であり、しかも印字内容が重ね貼りされる二つのラベルの間で同じ情報であることを確認でき、しかも、重ね貼りのあと上層用ラベルのみ剥離することが可能になった。
【発明を実施するための最良の形態】
【００１６】
本発明の透明容器用管理ラベルの最良の形態の一例を用いて本発明について図面を用いて説明する。
【００１７】
図２は、本発明の透明容器用管理ラベルの最良の形態の一例である。剥離台紙１３上に上層用ラベル１１と下層用ラベル１２が並んで形成されている。図２では、同じ剥離台紙１３上に上層用ラベル１１と下層用ラベル１２の組が１列で３組形成されているが、図１
の様に一枚の剥離台紙１３上に１組だけでもよく、また、一列に何千枚も並んでいる形状や、もっと多くの枚数が組み付けられている様な形状や、使用状態によっては平面状な組み付けでも構わない。上層用ラベル１１と下層用ラベル１２が並んでという意味は、両ラベルが近接していて、両ラベルを関連付ける情報が同一であることを確認できる様になっている平面位置関係にあることであり、例えば図１の様にバーコードが両ラベルを関連付ける情報であれば、縦に並べることにより両バーコードが同じバーコードであることが一目で確認することができるものであり、さらに、後述のラベル貼り付け装置により重ね貼りが確実に行える位置関係にあるものである。
【００１８】
また、剥離台紙は、粘着性ラベルから容易に剥離できる表面を持っているもので、紙などのラベル貼り付け装置にて貼り付け時に容易にラベルのみを順次貼り付けることにより重ね貼りが可能である。
【００１９】
上層用ラベル１１と下層用ラベル１２には、おのおの両ラベルを関連付ける情報として、同一のバーコード２１、２２が印刷されている。ちなみに、バーコード２１、２２は両方とも記号コード付きである。
【００２０】
下層用ラベル１１のバーコード２１は、表示領域２７全体に印刷されているが、上層用ラベルには記入欄２３も設けているため、表示領域２７の一部にしかバーコード２２が設けられていない。これは、上層用ラベル１１の後述の再貼着領域２６はカルテ等に貼り付けられ、平面状態で容易に読みとれるので幅の狭いバーコードでも十分に安定性の高い読み取りが可能であるのに対して、下層用ラベル１２は最後まで透明容器に貼り付けられた状態でバーコード読み取りを行うので、その透明容器の形状に従った立体形状になる場合が多く、安定的に読み取る為には、例えば表示領域全体に印刷する等の工夫が必要になる。従って、表示領域全体にバーコードを設けるのは必須ではなく、他の情報を印刷もしくは筆記する欄等を設ける余地がある構成ならば、その様な構成でも構わない。記入欄２３は、紙の材質によってそのまま筆記が可能であるので特に表面処理を施していないが、必要に応じて筆記を容易にするために記入欄に表面処理を施してもよい。
【００２１】
また、上層用ラベル１１の表示領域の外側である両側部には、側端と平行したミシン目２４が設けられているとともに、ミシン目２４が設けられていない一方の辺には突出部２５が設けられて、この突出部２５を引き上げることでミシン目２４が切れて、ミシン目の表示領域を含む中央部分である再貼着領域２６が下層用ラベル１１から切り離される様になっており、図３の様に再貼着領域２６の表示領域２７と突出部２５の本層３１裏面に剥離層３４を設けている。このとき、中央部分が確実に下層用ラベル１１から離れる様に、下層用ラベル１１のミシン目２４と直交する両辺において、下層用ラベル１１本層３２の表面の辺端部に剥離層２８を設けている。これは、剥離層を再貼着領域２６の裏面側全面に設けると、今度は下層用ラベル１１と離された後に再貼着領域２６をカルテ等に貼付するときに貼付が困難になるからで、具体的には再貼着領域２６がミシン目２４と直交する両辺の端部の接着層２９で貼着機能を持ち、容易にカルテ等に再貼着することを可能にするためである。
【００２２】
切り取り線としては、この例ではミシン目２４としたが、ハーフカット等の各種の手段により再貼着領域２６を下層用ラベル１２から離す手段を設けるもので構わないことは当然である。
【００２３】
この様な管理ラベルを用いて、採血管４１に貼った例を図４で示せば、下層用ラベル１２、次いで上層用ラベル１１が順次重ねて貼られるので、上層用ラベル１１のみが表面に見えており、しかも、突出部２５を除けば間隙４２があり、上層用ラベル１１の再貼着領域２７を剥がせば、ラベルが一周せず、間隙４２が上から下まで通っており、採血部の血
量を目視で確認できる。
【００２４】
各ラベル本層は、紙、プラスチック、紙−プラスチック複合材など用途に応じて各種のものが採用でき、剥離台紙も同様である。剥離層は、例えばシリコン樹脂の様な各種剥離作用を持った樹脂等を用いることが可能である。
【００２５】
また、本発明の製造方法は、通常のラベルと同じく印刷、積層、抜き加工を順次行うことで製造を行う。また、ラベル貼り方法は、通常のラベル貼り機にて通常に重ね貼りを行うものであり。既存のラベル貼り機については、通常のものを用いて実施できるので、省略する。
【図面の簡単な説明】
【００２６】
【図１】本発明の透明容器用管理ラベルの平面図である。
【図２】本発明の図１とは異なり、多面付けしている透明容器用管理ラベルの平面図である。
【図３】本発明の透明容器用管理ラベルの図２におけるＡ−Ａ線とＢ−Ｂ線で切った場合の概念断面図である。
【図４】本発明の透明容器用管理ラベルを採血管に応用した例の概念斜視図である。
【符号の説明】
【００２７】
１１・・・上層用ラベル
１２・・・下層用ラベル
１３・・・剥離台紙
２１、２２・・・バーコード
２３・・・記入欄
２４・・・ミシン目
２５・・・突出部
２６・・・再貼着領域
２７・・・表示領域
２８・・・剥離層
２９・・・接着層
３１・・・上層用ラベル本層
３２・・・下層用ラベル本層
３４・・・剥離層
４２・・・採血管
【図１】
2008058349.tif 000003
【図２】
2008058349.tif 000004
【図３】
2008058349.tif 000005
【図４】
2008058349.tif 000006